(57)【要約】【課題】液晶表示装置のコントラスト比を低下させることなく、光透過率を向上させる。【解決手段】本発明の一実施形態による液晶表示装置は、第１の内側面と第１の外側面とを有する第１表示板と、第２の内側面と第２の外側面とを有し、第２の内側面が第１表示板の第１の内側面と対向している第２表示板と、第１表示板と第２表示板との間に介在された液晶層と、第１表示板の第１の外側面に配置される第１偏光板と、第２表示板の第２の外側面に配置される第２偏光板と、を含み、液晶層の液晶分子は、電界が印加されない状態で第１表示板と第２表示板との間でねじれ配向され、第１偏光板の偏光度が第２偏光板の偏光度より低い。【選択図】図５
2008158503.tif 000002
【特許請求の範囲】
【請求項１】
第１の内側面と第１の外側面とを有する第１表示板と、
第２の内側面と第２の外側面とを有し、前記第２の内側面が前記第１表示板の第１の内側面と対向している第２表示板と、
前記第１表示板と前記第２表示板との間に介在された液晶層と、
前記第１表示板の第１の外側面に配置される第１偏光板と、
前記第２表示板の第２の外側面に配置される第２偏光板と、
を含み、
前記液晶層の液晶分子は、電界が印加されない状態で前記第１表示板と前記第２表示板との間でねじれ配向され、前記第１偏光板及び前記第２偏光板の偏光度が互いに異なることを特徴とする液晶表示装置。
【請求項２】
前記第１偏光板の偏光度は、前記第２偏光板の偏光度より低いことを特徴とする請求項１に記載の液晶表示装置。
【請求項３】
前記第１偏光板は、６５００Ｋの黒体を光源とする白色光に対して９８％〜９９．９％の偏光度を示すことを特徴とする請求項２に記載の液晶表示装置。
【請求項４】
前記第２偏光板は、６５００Ｋの黒体を光源とする白色光に対して９９．９％〜９９．９９９９％の偏光度を示すことを特徴とする請求項２に記載の液晶表示装置。
【請求項５】
前記第１表示板は、
第１絶縁基板と、
前記第１絶縁基板上に形成されるゲート線と、
前記ゲート線と絶縁されて交差するデータ線と、
前記ゲート線及び前記データ線に接続される薄膜トランジスタと、
前記薄膜トランジスタに接続される画素電極と、を含み、
前記第２表示板は、
第２絶縁基板と、
前記第２絶縁基板上に形成されるカラーフィルタと、
前記カラーフィルタ上に形成される共通電極と、を含む請求項２に記載の液晶表示装置。
【請求項６】
前記第１偏光板の透過軸と前記第２偏光板の透過軸とは互いに直交することを特徴とする請求項５に記載の液晶表示装置。
【請求項７】
前記第１表示板の第１の内側面に形成される第１配向膜と、前記第２表示板の第２の内側面に形成される第２配向膜と、をさらに含み、前記第１配向膜及び前記第２配向膜は、前記第１偏光板の透過軸と４５度または１３５度をなす方向にラビングされていることを特徴とする請求項６に記載の液晶表示装置。
【請求項８】
前記第１配向膜のラビング方向と前記第２配向膜のラビング方向とは互いに直交することを特徴とする請求項７に記載の液晶表示装置。
【請求項９】
前記第１偏光板の外側面に配置され、光源と拡散板を有するバックライトユニットをさらに含むことを特徴とする請求項５に記載の液晶表示装置。
【請求項１０】
前記拡散板は偏光特性を有し、前記拡散板の透過軸が前記第１偏光板の透過軸に平行であることを特徴とする請求項９に記載の液晶表示装置。
【発明の詳細な説明】
【技術分野】
【０００１】
本発明は、液晶表示装置に関し、より詳細には、偏光板を液晶パネルの両側に使用する液晶表示装置に関する。
【背景技術】
【０００２】
表示装置には、様々な種類があるが、代表的には、急速に発展している半導体技術により小型化及び軽量化が進むにつれて性能が一層向上した液晶表示（ＬＣＤ）パネルを備えた表示装置が使用されている。
【０００３】
液晶表示パネルを備えた表示装置は、小型化、軽量化が可能であり、低消費電力であるなどの利点を有し、既存のブラウン管（ＣＲＴ）の短所を解消するための代替手段として注目されている。現在は、表示装置を必要とする携帯電話、ＰＤＡ（ｐｅｒｓｏｎａｌ  ｄｉｇｉｔａｌ  ａｓｓｉｓｔａｎｔ）、及びＰＭＰ（ｐｏｒｔａｂｌｅ  ｍｕｌｔｉｍｅｄｉａ  ｐｌａｙｅｒ）などのような小型機器だけでなく、中大型機器であるモニター及びＴＶなどにも装着されるなど、表示装置を必要とする殆どの情報処理機器に採用され、使用されている。また、近年、高解像度を有する表示装置の需要も急増している。しかし、液晶表示パネルは、外部から印加した電圧によって透過率が変わる特性を利用して画像を表示するため、場合によっては、完全に光を遮断して黒色を表現することが難しい場合がある。その結果、コントラスト比が低くなり、これを改善するために偏光度の高い偏光板を使用すると、輝度が低くなるという問題点がある。
【発明の開示】
【発明が解決しようとする課題】
【０００４】
そこで、本発明は上記従来の問題点に鑑みてなされたものであって、本発明の目的は、液晶表示装置の光透過率及びコントラスト比を同時に改善することである。
【課題を解決するための手段】
【０００５】
本発明の実施形態では、下部偏光板の偏光度が上部偏光板の偏光度より低くなるようにする。
【０００６】
本発明の一実施形態による液晶表示装置は、第１の内側面と第１の外側面とを有する第１表示板と、第２の内側面と第２の外側面とを有し、第２の内側面が第１表示板の第１の内側面と対向している第２表示板と、第１表示板と第２表示板との間に介在されている液晶層と、第１表示板の第１の外側面に配置される第１偏光板と、第２表示板の第２の外側面に配置される第２偏光板と、を含み、液晶層の液晶分子は電界が印加されない状態で第１表示板と第２表示板との間でねじれて配向され、第１偏光板と第２偏光板との偏光度が互いに異なる。
【０００７】
ここで、第１偏光板の偏光度は、第２偏光板の偏光度より低くてもよく、第１偏光板は、６５００Ｋの黒体を光源とする白色光に対して９８％〜９９．９％範囲の偏光度を示してもよい。また、第２偏光板は、６５００Ｋの黒体を光源とする白色光に対して９９．９％〜９９．９９９９％範囲の偏光度を示してもよい。
【０００８】
第１表示板は、第１絶縁基板と、第１絶縁基板上に形成されるゲート線と、ゲート線と絶縁されて交差するデータ線と、ゲート線及びデータ線に接続される薄膜トランジスタと、薄膜トランジスタに接続される画素電極と、を含み、第２表示板は、第２絶縁基板と、第２絶縁基板上に形成されるカラーフィルタと、カラーフィルタ上に形成される共通電極と、を含んでもよい。第１偏光板の透過軸と第２偏光板の透過軸とは互いに直交してもよい。
【０００９】
液晶表示装置は、第１表示板の第１の内側面に形成される第１配向膜と、第２表示板の第２の内側面に形成される第２配向膜とをさらに含み、第１配向膜及び第２配向膜は、第１偏光板の透過軸と４５度または１３５度をなす方向にラビングされてもよく、第１配向膜のラビング方向と第２配向膜のラビング方向とは互いに直交してもよい。
【００１０】
液晶表示装置は、第１偏光板の外側面に配置されて光源及び拡散板を有するバックライトユニットをさらに含んでもよく、拡散板は、偏光特性を有し、拡散板の透過軸が第１偏光板の透過軸に平行であってもよい。
【発明の効果】
【００１１】
液晶分子がねじれて配向されている液晶表示装置において、下部偏光板の偏光度を上部偏光板の偏光度より低くする場合、液晶表示装置のコントラスト比の低下をもたらすことなく光透過率を向上させることができる。
【発明を実施するための最良の形態】
【００１２】
図面を用いながら、本発明の実施形態を、本発明が属する技術分野における通常の知識を有する者が容易に実施することができるように詳細に説明する。しかしながら、本発明は、多様な形態で実現することができ、ここで説明する実施形態に限定されない。図面は、本発明を明確に表現するために必要ない部分は省略し、明細書全体を通じて類似した部分については同一の参照番号を付けている。
【００１３】
図１は、本発明の一実施形態による液晶表示装置の分解斜視図である。図１に示すように、液晶表示装置１は、大きく分けて、光を供給するバックライトアセンブリ７０と、光の提供を受けて（画像情報に従って光透過率を制御することにより）画像を表示する表示パネル５０とを含む。この他に、液晶表示装置１は、表示パネル５０をバックライトアセンブリ７０上に固定支持するためのシャーシ６０をさらに含み、その他必要な部品をさらに含んでもよい。
【００１４】
また、表示装置１は、表示パネル５０と電気的に接続され、駆動信号を伝達する複数の駆動集積回路チップパッケージ（４３、４４）及び印刷回路基板（４１、４２）を含む。ここで、駆動集積回路チップパッケージ（４３、４４）は、チップオンフィルムパッケージ（ＣＯＦ）またはテープキャリアパッケージ（ＴＣＰ）で形成される。
【００１５】
駆動集積回路チップパッケージは、ゲート駆動集積回路チップパッケージ４３と、データ駆動集積回路チップパッケージ４４とを含む。ゲート駆動集積回路チップパッケージ４３は、表示パネル５０の一側周縁に取り付けられて、表示パネル５０にゲート信号を供給する。データ駆動集積回路チップパッケージ４４は、前記一側と隣接した表示パネル５０の他側に取り付けられて、表示パネル５０にデータ信号を含めてその他の信号を供給する。
【００１６】
バックライトアセンブリ７０は、収納部材７５、収納部材７５の内部に配置された光源ユニット８０、光源ユニットホルダ７８、反射シート７９、光学シート７２（複数あってもよい）及び拡散板７４を含む。そして、バックライトアセンブリ７０は、収納部材７５と結合して光学シート７２及び拡散板７４などを収納部７５に固定支持する支持フレーム７１をさらに含む。また、支持フレーム７１は、表示パネル５０をバックライトアセンブリ７０から予め設定された距離だけ離隔して支持する。
【００１７】
反射シート７９は、収納部材７５の底面に配置されて光源ユニット８０で発生した光が全て表示パネル５０に向かうように反射する。光源ユニット８０で発生した光が反射シートに反射されることによってさらに拡散し、表示パネル５０に到達する光の均一性がより向上する。
【００１８】
光学シート７２及び拡散板７４は、光源ユニット８０で発生した光の輝度及び均一性を向上させて表示パネル５０に提供する。光源ユニット８０で射出した光は、光学シート７２及び拡散板７４を経て拡散及び集光され、実質的に均一に拡散して面光源に近い光に変換される。
【００１９】
表示パネル５０は、第１表示板１００及び液晶層（図示せず）を介在して第１表示板１００と対向配置された第２表示板２００を含む。ここで、第１表示板１００は背面基板となり、第２表示板２００は前面基板となり、第２表示板２００が第１表示板１００より小さい大きさを有する。駆動集積回路チップパッケージ（４３、４４）の一側は、第２表示板２００と重ならない第１表示板１００の周縁に取り付けられて表示パネル５０に接続される。駆動集積回路チップパッケージ（４３、４４）の他側は、印刷回路基板（４１、４２）に接続される。
【００２０】
図１において、全ての駆動集積回路チップパッケージ（４３、４４）が印刷回路基板（４１、４２）に接続されているが、本発明はこれに限定されない。ゲート駆動集積回路チップパッケージ４３に接続された印刷回路基板４１は、場合によって省略可能である。このとき、ゲート駆動集積回路チップパッケージ４３は、一側が表示パネル５０に接続され、他側はどこにも接続されない。そして、第２表示板２００の前面と、第１表示板１００の背面には、各々偏光板（２２、１２）が取り付けられてバックライトアセンブリ７０から供給された可視光線を線偏光させる。ここで、第１表示板１００の背面に配置される下部偏光板１２の偏光度は、第２表示板２００の前面に配置される上部偏光板２２の偏光度より低い。この偏光度は次の式１により表され、単位は％である。
【００２１】
【数１】
2008158503.tif 000003
（式１）
Ｔ／／＝平行透過率＝偏光板２枚を透過軸が互いに平行するように重ねたときの透過率。
Ｔ⊥＝直交透過率＝偏光板２枚を透過軸が互いに直交するように重ねたときの透過率。
【００２２】
詳細には、下部偏光板１２は、６５００Ｋの黒体を光源とする白色光に対して９８％〜９９．９％範囲の偏光度を示し、上部偏光板２２は、６５００Ｋの黒体を光源とする白色光に対して９９．９％〜９９．９９９９％範囲の偏光度を示す。
【００２３】
拡散板７４も所定の偏光特性を有してもよく、拡散板７４が偏光特性を有する場合、透過軸が下部偏光板１２の透過軸に対して平行になるように配置する。
【００２４】
第１表示板１００及び第２表示板２００には、複数の薄膜トランジスタ（ＴＦＴ）、カラーフィルタ、画素電極及び共通電極などが形成される。液晶層は、第１表示板１００と第２表示板２００との間に配置される。以下、第１表示板１００に薄膜トランジスタ及び画素電極が形成され、第２表示板にカラーフィルタ及び共通電極が形成される表示パネル５０について詳細に説明する。
【００２５】
図２は、本発明の一実施形態による第１の表示板である薄膜トランジスタ表示板の配置図であり、図３は、本発明の一実施形態による液晶表示パネルを図２に記載のＩＩＩ−ＩＩＩ線に沿って切断した断面図であり、図４は、図２に記載の第１表示板をＩＶ−ＩＶ線に沿って切断した断面図である。
【００２６】
図２〜図４を参照すれば、本発明の一実施形態による液晶表示パネルは、互いに対向する第１表示板である薄膜トランジスタ表示板１００、第２表示板である共通電極表示板２００、これら２つの表示板（１００、２００）の間に介在された液晶層３、及び薄膜トランジスタ表示板１００の下及び共通電極表示板２００の上に各々配置される下部偏光板１２及び上部偏光板２２を含む。
【００２７】
まず、図２、図３及び図４を参照して薄膜トランジスタ表示板１００について説明する。
【００２８】
透明なガラスまたはプラスチックなどからなる絶縁基板１１０上に複数のゲート線１２１及び複数の蓄積電極線１３１が形成される。
【００２９】
ゲート線１２１は、ゲート信号を伝達し、主に横方向に延びる。各ゲート線１２１は、上に突出した複数のゲート電極１２４と、他の層または外部駆動回路との接続のための広い端部１２９とを含む。ゲート信号を生成するゲート駆動回路（図示せず）は、基板１１０上に取り付けられるフレキシブル印刷回路フィルム（ｆｌｅｘｉｂｌｅ  ｐｒｉｎｔｅｄ  ｃｉｒｃｕｉｔ  ｆｉｌｍ）（図示せず）上に装着されてもよく、また、基板１１０上に直接装着されてもよく、基板１１０に集積されてもよい。ゲート駆動回路が基板１１０上に集積されている場合、ゲート線１２１が延びてゲート駆動回路と直接接続されてもよい。
【００３０】
蓄積電極線１３１は、所定の電圧の印加を受け、ゲート線１２１とほぼ平行に延びた幹線と、これから分岐した複数の第１及び第２蓄積電極（１３３ａ、１３３ｂ）とを含む。蓄積電極線１３１の各々は、隣接した２つのゲート線１２１の間に位置し、幹線は、２つのゲート線１２１のうちの上側に近い。
【００３１】
第１及び第２蓄積電極（１３３ａ、１３３ｂ）は、縦方向に延びて互いに対向する。第１蓄積電極１３３ａは、幹線に接続された固定端とその反対方向の自由端とを有し、自由端は突出部を含む。第２蓄積電極１３３ｂも幹線に接続された固定端と、その反対方向の自由端とを有する。蓄積電極線１３１の形状及び配置は、多様に変更することができる。
【００３２】
ゲート線１２１及び蓄積電極線１３１は、アルミニウム（Ａｌ）やアルミニウム合金などのアルミニウム系金属、銀（Ａｇ）や銀合金などの銀系金属、銅（Ｃｕ）や銅合金などの銅系金属、モリブデン（Ｍｏ）やモリブデン合金などのモリブデン系金属、クロム（Ｃｒ）、タンタル（Ｔａ）及びチタン（Ｔｉ）などの低抵抗性導電体又はそれらの合金で形成されてもよい。また、ゲート線１２１及び蓄積電極線１３１は、物理的性質が異なる２つの導電膜（図示せず）を含む多重膜構造を有してもよい。
【００３３】
ゲート線１２１及び蓄積電極線１３１の側面は、基板１１０面に対して傾斜しており、その傾斜角は約３０度〜８０度であることが好ましい。ゲート線１２１及び蓄積電極線１３１上には、窒化シリコン（ＳｉＮｘ）または酸化シリコン（ＳｉＯｘ）などで形成されるゲート絶縁膜１４０が形成される。ゲート絶縁膜１４０上には水素化アモルファスシリコン（アモルファスシリコンはａ−Ｓｉと略称する）または多結晶シリコンなどからなる複数の線状半導体１５１が形成される。線状半導体１５１は主に縦方向に延びており、ゲート電極１２４に向かって延びた複数の突出部（ｐｒｏｊｅｃｔｉｏｎ）１５４を含む。
【００３４】
半導体１５１上には複数の線状及び島状オーミックコンタクト部材（ｏｈｍｉｃ  ｃｏｎｔａｃｔ）（１６１、１６５）が形成される。オーミックコンタクト部材（１６１、１６５）は、リンなどのｎ型不純物が高濃度にドープされたｎ＋水素化アモルファスシリコン又はシリサイド（ｓｉｌｉｃｉｄｅ）で形成されてもよい。線状オーミックコンタクト部材１６１は、突出部１６３を有し、この突出部１６３と島状オーミックコンタクト部材１６５とは、対をなして半導体１５１の突出部１５４上に配置される。
【００３５】
半導体１５１及びオーミックコンタクト部材１６１、１６５の側面もまた、基板１１０面に対して傾斜しており、傾斜角は３０度〜８０度程度である。
【００３６】
オーミックコンタクト部材（１６１、１６５）及びゲート絶縁膜１４０上にはデータ線１７１、ドレイン電極１７５、及び絶縁された金属片１７８が形成される。
【００３７】
データ線１７１は、データ信号を伝達し、主に縦方向に延びてゲート線１２１及び蓄積電極線１３１の幹線と交差する。各データ線１７１は、ゲート電極１２４に向かって延びるソース電極１７３と、他の層または外部駆動回路との接続のために広い端部１７９とをそれぞれ含む。データ電圧を生成するデータ駆動回路（図示せず）は、基板１１０上に取り付けられるフレキシブル印刷回路フィルム（図示せず）上に装着されてもよく、基板１１０上に直接装着されてもよく、基板１１０に集積されてもよい。データ駆動回路が基板１１０上に集積されている場合、データ線１７１が延びてデータ駆動回路と直接接続されてもよい。
【００３８】
ドレイン電極１７５は、データ線１７１と分離されてゲート電極１２４を中心にソース電極１７３と対向する。各ドレイン電極１７５は、広い一端部と棒状の他側端部とを有し、棒状の端部はソース電極１７３で一部取り囲まれる。
【００３９】
１つのゲート電極１２４、１つのソース電極１７３及び１つのドレイン電極１７５は、半導体１５１の突出部１５４と共に１つの薄膜トランジスタ（ＴＦＴ）を構成し、薄膜トランジスタのチャンネルは、ソース電極１７３とドレイン電極１７５との間の突出部１５４に形成される。
【００４０】
絶縁された金属片１７８は、第１蓄積電極１３３ａ近傍のゲート線１２１上に位置するが、省略されてもよい。
【００４１】
データ線１７１、ドレイン電極１７５及び絶縁された金属片１７８は、ゲート線１２１と同様に低抵抗性導電体で形成されてもよい。
【００４２】
データ線１７１、ドレイン電極１７５及び絶縁された金属片１７８もまた、その側面が基板１１０面に対して３０度〜８０度程度の傾斜角で傾斜していることが好ましい。
【００４３】
オーミックコンタクト部材（１６１、１６５）は、その下の半導体１５１、１５４と、その上のデータ線１７１及びドレイン電極１７５との間にのみ存在し、これらの間の接触抵抗を低くする。
【００４４】
データ線１７１、ドレイン電極１７５、絶縁された金属片１７８及び露出している半導体１５１部分上には保護膜１８０が形成される。保護膜１８０は、無機絶縁物または有機絶縁物などからなり、表面が平坦化されてもよい。無機絶縁物の例としては、窒化シリコン（ＳｉＮｘ）及び酸化シリコン（ＳｉＯｘ）などが挙げられる。有機絶縁物は、感光性を有してもよく、その誘電定数は約４．０以下であることが好ましい。保護膜１８０は、有機膜の優れた絶縁特性を生かしながらも露出した半導体部分にダメージを及ぼさないように下部無機膜及び上部有機膜の二重膜構造を有してもよい。
【００４５】
保護膜１８０上には画素電極１９１、接続ブリッジ（ｏｖｅｒｐａｓｓ）８３及びコンタクト補助部材（８１、８２）が形成される。これらはＩＴＯまたはＩＺＯなどの透明な導電物質で形成される。
【００４６】
画素電極１９１は、コンタクトホール１８５を介してドレイン電極１７５に物理的、電気的に接続されており、ドレイン電極１７５からデータ電圧の印加を受ける。データ電圧が印加された画素電極１９１は、共通電圧の印加を受ける共通電極２７０と共に電界を生成することによって、２つの電極１９１、２７０の間の液晶層３の液晶分子の方向を決定する。このように決定された液晶分子の方向によって液晶層３を通過する光の偏光が変わる。画素電極１９１及び共通電極２７０はそれらの間に配置された液晶層３とともに、キャパシタ（ｃａｐａｃｉｔｏｒ）ＣＬＣ（以下、液晶キャパシタという。）を構成して、薄膜トランジスタがオフした後も印加された電圧を維持する。
【００４７】
画素電極１９１は、蓄積電極（１３３ａ、１３３ｂ）をはじめとする蓄積電極線１３１と重畳（オーバーラップ）する。画素電極１９１及び画素電極１９１に電気的に接続されたドレイン電極１７５が蓄積電極線１３１と重畳してなすキャパシタを蓄積キャパシタＣＳＴ（ｓｔｏｒａｇｅ  ｃａｐａｃｉｔｏｒ）といい、蓄積キャパシタは、液晶キャパシタの電圧維持能力を強化する。
【００４８】
各画素電極１９１は、ゲート線１２１またはデータ線１７１とほぼ平行な４つの主辺を有し、４つの角が面取りされた（ｃｈａｍｆｅｒｅｄ）ほぼ四角形状である。画素電極１９１の面取りされた斜辺は、ゲート線１２１に対して約４５度の角度をなす。
【００４９】
接続ブリッジ８３は、ゲート線１２１を横切り、ゲート線１２１を介在して反対側に位置するコンタクトホール（１８３ａ、１８３ｂ）を介して蓄積電極線１３１の露出した部分と第１蓄積電極１３３ａの自由端の露出した端部とに接続される。蓄積電極（１３３ａ、１３３ｂ）をはじめとする蓄積電極線１３１は、接続ブリッジ８３と共にゲート線１２１やデータ線１７１、または薄膜トランジスタの欠陥を修理するのに使用することができる。
【００５０】
接触補助部材（８１、８２）は、各々コンタクトホール（１８１、１８２）を介してゲート線１２１の端部１２９及びデータ線１７１の端部１７９に接続される。接触補助部材（８１、８２）は、ゲート線１２１の端部１２９及びデータ線１７１の端部１７９と外部装置との接着性を補完し、これらを保護する。
【００５１】
次に、図３を参照して、共通電極表示板２００について説明する。
【００５２】
透明なガラスまたはプラスチックなどからなる絶縁基板２１０上に遮光部材２２０が形成される。遮光部材２２０は、ブラックマトリックスともいい、画素電極１９１間の光漏れを防止する。遮光部材２２０は、画素電極１９１と対向し、画素電極１９１とほぼ同一の形状を有する開口部２２５を有する。遮光部材２２０は、ゲート線１２１及びデータ線１７１に対応する部分と、薄膜トランジスタに対応する部分とからなってもよい。
【００５３】
基板２１０上にはまた、複数のカラーフィルタ２３０が形成される。カラーフィルタ２３０は、遮光部材２２０で囲まれた領域内に存在し、画素電極１９１の列に沿って縦方向に長く延びてもよい。各カラーフィルタ２３０は、赤色、緑色及び青色などの三原色のうちの１つを表示してもよい。
【００５４】
カラーフィルタ２３０及び遮光部材２２０上には蓋膜（ｏｖｅｒｃｏａｔ）２５０が形成される。蓋膜２５０は（有機）絶縁物から形成されてもよく、カラーフィルタ２３０が露出することを防止し平坦面を提供する。蓋膜２５０は省略可能である。
【００５５】
蓋膜２５０上には共通電極２７０が形成される。共通電極２７０はＩＴＯ、ＩＺＯなどの透明な導電体などからなるが、画素電極１９１と同じ側に形成される場合は、不透明な導電体で形成されてもよい。
【００５６】
共通電極２７０に共通電圧を印加し、画素電極１９１にデータ電圧を印加すると、表示板（１００、２００）の表面にほぼ垂直な電界が生成される。液晶分子は、電界に応答してその長軸が電界の方向と平行をなすように方向を変えようとする。
【００５７】
表示板（１００、２００）の内側面には配向膜（１１、２１）が配置されており、これらは垂直配向膜であってもよい。下部配向膜１１と上部配向膜２１とは各々ラビングされており、下部配向膜１１のラビング方向（Ｒ１）は、上部配向膜２１のラビング方向（Ｒ２）と互いに垂直をなす。
【００５８】
表示板（１００、２００）の外側面には偏光板（１２、２２）が備えられる。２つの偏光板（１２、２２）の偏光軸（Ｘ、Ｙ）は、互いに直交して、下部及び上部配向膜（１１、２２）のラビング方向（Ｒ１、Ｒ２）とほぼ４５度（または１３５度）の角度をなすことが好ましい。また、下部偏光板１２は、上部偏光板２２に比べて低い偏光度を有する。下部偏光板１２の偏光度は、６５００Ｋの黒体を光源とする白色光に対して９８％〜９９．９％であってもよく、上部偏光板２２の偏光度は、６５００Ｋの黒体を光源とする白色光に対して９９．９％〜９９．９９９９％であってもよい。
【００５９】
本発明の一実施形態による液晶表示装置は、液晶層３の遅延を補償するための位相差膜（ｒｅｔａｒｄａｔｉｏｎ  ｆｉｌｍ）（図示せず）をさらに含んでもよい。
【００６０】
液晶層３は、正の誘電率異方性を有し、液晶層３の液晶分子は電界がない状態でその長軸が２つの表示板（１００、２００）の表面に対してほぼ水平をなすように配向されている。下部配向膜１１及び上部配向膜２１の配向方向が互いに垂直をなすので、下部配向膜１１から上部配向膜２１に行くにつれて、液晶分子の配向方向がねじれている。従って、下部偏光板１２を通じて液晶に入射した光は、液晶を通過しながら偏光方向が９０度回転し、上部偏光板２２を通過して最も明るいホワイト（ｗｈｉｔｅ）状態を表示する。
【００６１】
一方、液晶層３に電界を印加すると、液晶分子は電界に対して平行方向に起き上がる。液晶分子が起き上がる程度は、印加される電界の強さによって決定される。液晶分子が起き上がると、液晶層３を通過する光の偏光の程度が減少する。一般的に、偏光の程度が、液晶分子が起き上がる程度に比例して少なくなるように液晶層３の厚さ（セルギャップ）を設定する。液晶層３に電界が印加されて液晶分子が起き上がると、下部偏光板１２によって線偏光された光が液晶層３を通過するときに発生する偏光の程度が減少して、上部偏光板２２を通過できない成分を有するようになる。液晶層３に印加する電界の強さを調節して、液晶層３を通過する間に光の偏光の程度が殆どないように液晶の配向を制御すると、光の殆どが上部偏光板２２で遮断されて最も暗いブラック（ｂｌａｃｋ）状態となる。
【００６２】
ところが本発明の実施形態のように、下部偏光板１２は、６５００Ｋの黒体を光源とする白色光に対して９８％〜９９．９％範囲の偏光度を示すようにし、上部偏光板２２は、６５００Ｋの黒体を光源とする白色光に対して９９．９％〜９９．９９９９％範囲の偏光度を示すようにすることにより、液晶表示装置のコントラスト比の低下をもたらすことなく、光透過率を向上させることができる。
【００６３】
次に、このような本発明の効果について図５を参照して説明する。
【００６４】
図５で、Ａは上下偏光板の偏光度がいずれも低い場合を示し、Ｂは上下偏光板の偏光度がいずれも高い場合を示し、Ｃは下部偏光板の偏光度はＢの偏光板より低いか等しく、上部偏光板の偏光度はＡの偏光板より高い場合である。
【００６５】
まず、Ａの場合、上下偏光板の両方の偏光度が低く、偏光板の透過軸に平行な偏光のみならず透過軸に対してある程度小さな角度で傾斜している偏光も通過させるので、偏光板を透過する光の量が多い。このため、ホワイト状態の光透過率は高い。しかし、上下偏光板を直交配置し、液晶層に電界を印加して、液晶層を通過する光の偏光の程度を最少にしても光漏れが多いためブラックの輝度が高くコントラスト比は低い。
【００６６】
これに対し、Ｂの場合は、上下偏光板の両方の偏光度が高く、偏光板の透過軸にほぼ平行な偏光のみを通過させるので、偏光板を透過する光の量が少ない。このため、光透過率が低い。しかし、透過軸にほぼ平行な偏光のみを通過させるので光漏れが少なく、ブラックの輝度が非常に低い。従って、コントラスト比は高い。
【００６７】
次に、Ｃの場合について説明する。
【００６８】
まず、ブラック状態について説明する。下部偏光板の偏光度が低く、偏光板の透過軸に平行な偏光のみならず透過軸に対してある程度小さな角度で傾斜している偏光も通過させるので、下部偏光板を通過する光の量は多い。しかし、上部偏光板の偏光度は高いため、上部偏光板の透過軸に平行な成分の光のみが通過する。このため、下部偏光板を通過した光の量が多く、液晶層で偏光の変化が発生しても（基板に近い液晶分子が完全に垂直ではないため）上部偏光板の透過軸に完全に平行な偏光成分は上部偏光板を通過する際にはそれほど多くない。従って、光は上部偏光板によって殆ど吸収される。その結果、ブラックの輝度はＢの場合と同様に低い。
【００６９】
次に、ホワイト状態について説明する。上下偏光板を直交させて配置した状態で液晶をねじれ配向させると、下部偏光板によって偏光された光が液晶層を通過しながら偏光を変化させて上部偏光板を通過することによって、ホワイト状態となる。この際、光が液晶層を通過しながらその偏光が最も効率的に変化するときは、液晶の方位角が偏光の偏光軸に対して４５度をなすときである。下部偏光板１２の透過軸と下部配向膜１１のラビング方向とが互いに４５度をなすようにするのもこのためである。しかし、ラビング方向は、機械的ラビング（ｒｕｂｂｉｎｇ）によって決定されるため、巨視的には下部偏光板１２の透過軸及び下部配向膜１１のラビング方向が互いに４５度をなしても、微視的に液晶分子が配向される方向は、少しの配向誤差が発生し得る。一方、下部偏光板１２は偏光度が低いため、その透過軸に平行な偏光のみならず透過軸に対してある程度小さな角度で傾斜している偏光も通過させる。ところが、液晶分子の配向誤差によって下部偏光板１２の透過軸に対して４５度でない角度で配向された液晶分子は、下部偏光板１２の透過軸に対して小さな角度で傾斜している偏光の偏光軸を上部偏光板２２の透過軸に平行になるように回転させることができる。その結果、偏光度の高い上部偏光板２２を通過する光の量が増加してホワイトの輝度がＡの場合と同様に高い。
【００７０】
以下の表は、偏光度が９９．９７％〜９９．９９％である高偏光度の偏光板、偏光度が９８．９９％〜９９．１５％である低偏光度の偏光板、偏光度が９９．９％である通常の偏光板を用いて図５のＡ、Ｂ、Ｃによる偏光板組み合わせを採用した液晶表示装置（但し、ここではＡに通常の偏光板の組み合わせを用いる）を作製してホワイト及びブラックの輝度及びコントラスト比（ＣＲ）を測定したものである。
【表１】
2008158503.tif 000004
【００７１】
本発明の実施形態では、液晶表示装置の表示輝度を高めるための方法として、拡散板７４が偏光特性を有する場合、拡散板７４の透過軸が下部偏光板１２の透過軸に平行になるように配置する。
【００７２】
尚、本発明は、上述の実施形態に限られるものではない。本発明の技術的範囲から逸脱しない範囲内で多様に変更実施することが可能である。
【図面の簡単な説明】
【００７３】
【図１】本発明の一実施形態による液晶表示装置の分解斜視図である。
【図２】本発明の一実施形態による薄膜トランジスタ表示パネルの配置図である。
【図３】本発明の一実施形態による液晶表示パネルを図２に記載のＩＩＩ−ＩＩＩ線に沿って切断した断面図である。
【図４】図２の薄膜トランジスタ表示パネルをＩＶ−ＩＶ線に沿って切断した断面図である。
【図５】上下偏光板の偏光度を示す概念図である。
【符号の説明】
【００７４】
４１、４２  印刷回路基板
４３、４４  駆動集積回路チップパッケージ
５０  表示パネル
６０  シャーシ
７０  バックライトアセンブリ
７１  支持フレーム
７２  光学シート
７４  拡散板
７５  収納部材
７８  光源ユニットホルダ
８０  光源ユニット
１００  薄膜トランジスタ表示板
１１、２１  配向膜
１２、２２  偏光板
１２１  ゲート線
１２４  ゲート電極
１３１  蓄積電極線
１３３ａ、１３３ｂ  蓄積電極
１４０  ゲート絶縁膜
１５１  半導体
１６１、１６５  オーミックコンタクト部材
１７１  データ線
１７３  ソース電極
１７５  ドレイン電極
１８０  保護膜
１９１  画素電極
２７０  共通電極
２２０  遮光部材
２３０  カラーフィルタ
２７０  蓋膜
【図１】
2008158503.tif 000005
【図２】
2008158503.tif 000006
【図３】
2008158503.tif 000007
【図４】
2008158503.tif 000008
【図５】
2008158503.tif 000009